(57)【要約】【課題】店舗での商品展示に係る作業軽減と広告のための資源を節約する環境配慮に対応したものとして、商品包装箱の一部に広告機能を付与し、当該包装箱の一部を切り開くことにより、当該広告機能を備えた商品展示台としてそのまま店舗に陳列展示することが可能であり、かつ、当該広告機能を十分に発揮することができるよう、広告機能部を包装箱天面上に安定して支持することを可能とした広告機能付き包装箱を安価に提供することを課題とする。【解決手段】広告表示部と、広告背面部と、広告支持部と、を含む天面を有する略直方体形状の広告機能付き包装箱であって、前記天面の一部に広告支持部が形成されていることを特徴とする広告機能付き包装箱。【選択図】図２
2018027786.tif 000002
【特許請求の範囲】
【請求項１】
広告表示部と、広告背面部と、広告支持部と、を含む天面を有する略直方体形状の広告機能付き包装箱であって、
前記広告機能付き包装箱の天面長辺方向を前後方向とした場合、
前記広告表示部は前記天面の前後略中央から前方短辺側に設けられていて、
前記広告表示部と前記広告背面部との境界部には折り曲げ線が設けられていて、
前記天面の前記広告表示部が設けられている方とは反対側の後方短辺から、前記広告表示部とは重ならない位置の左右どちらか一方の長辺に向かって斜めに設けられた天面切取線を有し、
前記後方短辺と前記天面切取線と前記一方の長辺とで囲まれる領域が広告支持部を形成していて、
前記天面切取線が前記天面の長辺に達した位置から前記広告背面部と前記広告表示部との境界部に至るまで、前記天面の長辺に沿って前記天面切取線に連接する天面長辺第一切取線が設けられていて、
前記天面において前記天面長辺第一切取線が設けられた長辺とは反対側の長辺にも、少なくとも前記天面長辺第一切取線に対向する位置には天面長辺第二切取線が設けられていて、
前記天面の長辺に連接する一対の長辺側壁及び前記天面の前方短辺に連接する前方短辺側壁には、前記長辺側壁及び前記前方短辺側壁を高さ方向に分割する分割手段が設けられていて、
前記分割手段と、前記天面長辺第一切取線及び前記天面長辺第二切取線と、をつなぐ位置には接続切取線が設けられている
ことを特徴とする広告機能付き包装箱。
【請求項２】
請求項１に記載の広告機能付き包装箱であって、
前記分割手段は、一対の前記長辺側壁及び前記長辺側壁の前方に連接された前方内フラップの高さ方向略中央に設けられた切除部であることを特徴とする広告機能付き包装箱。
【請求項３】
請求項１または２に記載の広告機能付き包装箱であって、
前記長辺側壁の前記広告表示部に連接する部分には、前記広告表示部と前記広告背面部とを固定する係止部が設けられていることを特徴とする広告機能付き包装箱。
【請求項４】
請求項１〜３のいずれか１項に記載の広告機能付き包装箱であって、
前記天面切取線から前記広告支持部内に向かって広告差込部が設けられていることを特徴とする広告機能付き包装箱。
【請求項５】
請求項１〜４のいずれか１項に記載の広告機能付き包装箱であって、
前記広告表示部と前記広告背面部との境界部の一部は切込部であることを特徴とする広告機能付き包装箱。
【発明の詳細な説明】
【技術分野】
【０００１】
本発明は、商品包装の機能に加え広告展示機能も兼ね備えた展示兼用の包装箱に関する。
【背景技術】
【０００２】
従来、店舗での商品展示に係る作業軽減と広告のための資源を節約する環境配慮の観点から、商品包装箱の一部に広告機能を付与し、当該包装箱の一部を切り開くことにより、当該広告機能を備えた商品展示台としてそのまま店舗に陳列展示することが可能な広告機能付き包装箱が使用されている。
【０００３】
しかし、従来の広告機能付き包装箱においては、天面と当該天面に連接する側壁との境界の稜線上に、当該天面に設けられた広告表示部を当該側壁から切り離すための切取線を設けているものが多かった。このように稜線上に切取線を設けた広告機能付き包装箱においては、商品を包装して輸送する際の衝撃により当該切取線が誤って裂けてしまうという問題があった。
【０００４】
そこで、広告表示部を切り離す切取線の一部を天面と側壁との境界の稜線上以外の部分に設けた広告機能付き包装箱が提案されてきた（例えば、特許文献１）。
【０００５】
特許文献１の包装箱は、天面を山形に屈曲する横断折目線の両端部から側壁を上下に分割する分割手段に達する切離線を設けて、広告板に変形させる天面の前端部左右に箱体の一部コーナーを残すようにした箱であり、稜線上の切離線を従来構造に比べて少なくした箱となっている。
【０００６】
しかし、特許文献１のような包装箱においては、天面を折り曲げて２つ折り広告板とした際、当該天面の後端部左右は天面と側壁との境界の稜線上で切り取られているため、当該２つ折り広告板の下端部を載置する部分がなかった。たとえ、当該稜線断面の厚みに載せられたとしても、非常に不安定な状態であり、当該広告板が包装箱内に落ち込んで十分な広告機能を発揮しない虞があった。
【先行技術文献】
【特許文献】
【０００７】
【特許文献１】実公平２−４５１３８号公報
【発明の概要】
【発明が解決しようとする課題】
【０００８】
本発明は上記のような事情に鑑みてなされたもので、店舗での商品展示に係る作業軽減と広告のための資源を節約する環境配慮に対応したものとして、商品包装箱の一部に広告機能を付与し、当該包装箱の一部を切り開くことにより、当該広告機能を備えた商品展示台としてそのまま店舗に陳列展示することが可能であり、かつ、当該広告機能を十分に発揮することができるよう、広告機能部を包装箱天面上に安定して支持することを可能とした広告機能付き包装箱を安価に提供することを課題とする。
【課題を解決するための手段】
【０００９】
本発明は係る課題に鑑みなされたものであり、本発明の広告機能付き包装箱は、広告表示部と、広告背面部と、広告支持部と、を含む天面を有する略直方体形状の広告機能付き包装箱であって、前記広告機能付き包装箱の天面長辺方向を前後方向とした場合、前記広
告表示部は前記天面の前後略中央から前方短辺側に設けられていて、前記広告表示部と前記広告背面部との境界部には折り曲げ線が設けられていて、前記天面の前記広告表示部が設けられている方とは反対側の後方短辺から、前記広告表示部とは重ならない位置の左右どちらか一方の長辺に向かって斜めに設けられた天面切取線を有し、前記後方短辺と前記天面切取線と前記一方の長辺とで囲まれる領域が広告支持部を形成していて、前記天面切取線が前記天面の長辺に達した位置から前記広告背面部と前記広告表示部との境界部に至るまで、前記天面の長辺に沿って前記天面切取線に連接する天面長辺第一切取線が設けられていて、前記天面において前記天面長辺第一切取線が設けられた長辺とは反対側の長辺にも、少なくとも前記天面長辺第一切取線に対向する位置には天面長辺第二切取線が設けられていて、前記天面の長辺に連接する一対の長辺側壁及び前記天面の前方短辺に連接する前方短辺側壁には、前記長辺側壁及び前記前方短辺側壁を高さ方向に分割する分割手段が設けられていて、前記分割手段と、前記天面長辺第一切取線及び前記天面長辺第二切取線と、をつなぐ位置には接続切取線が設けられていることを特徴とする。
【００１０】
また、本発明の広告機能付き包装箱の前記分割手段は、一対の前記長辺側壁及び前記長辺側壁の前方に連接された前方内フラップの高さ方向略中央に設けられた切除部であっても良い。
【００１１】
また、本発明の広告機能付き包装箱は、前記長辺側壁の前記広告表示部に連接する部分には、前記広告表示部と前記広告背面部とを固定する係止部が設けられていても良い。
【００１２】
また、本発明の広告機能付き包装箱は、前記天面切取線から前記広告支持部内に向かって広告差込部が設けられていても良い。
【００１３】
また、本発明の広告機能付き包装箱において、前記広告表示部と前記広告背面部との境界部の一部は切込部であっても良い。
【発明の効果】
【００１４】
本発明の広告機能付き包装箱は、天面の長辺に連接する一対の長辺側壁及び前記天面の前方短辺に連接する前方短辺側壁に設けられた分割手段と、前記天面の長辺の一部を切り取る天面長辺第一切取線及び天面長辺第二切取線と、前記天面の一部を広告支持部として残すように切り取る天面切取線と、前記分割手段と前記天面長辺第一切取線及び前記天面長辺第二切取線とをつなぐ接続切取線と、を切り開いて前記天面上の折り曲げ線を山折することにより広告表示部と広告背面部とを起立させることが可能となる。
これにより、本発明の広告機能付き包装箱に商品を包装し、店舗まで輸送した後、店舗の陳列棚に商品展示する際には、まず、前記分割手段、前記接続切取線、前記天面長辺第一切取線、前記天面長辺第二切取線、及び前記天面切取線を用いて天面を切り開いて前記折り曲げ線で２つ折りすることにより、前記天面の前記前方短辺に連接する前記前方短辺側壁の一部を底面、前記広告表示部と前記広告背面部とを側面とする断面が略三角形状の広告機能部を組み立てる。そして、前記広告機能部の底面を前記天面に形成された前記広告支持部の上に載置することにより、前記広告機能部を包装箱天面上に安定して支持することが可能となる。
また、前記分割手段より下の部分には商品を収納した状態のまま商品展示台とすることが可能となる。
【００１５】
また、前記分割手段を、一対の前記長辺側壁及び前記長辺側壁の前方に連接された前方内フラップの高さ方向略中央に設けられた切除部とすることにより、本発明の広告機能付き包装箱を開封する際には、前記切除部を前記広告機能付き包装箱から切り除くことにより生じた空間に手を差し入れることが可能となる。このように前記切除部を切り除くことによって生じた空間に手を差し入れて天面側に引き上げることにより、前記分割手段に連
接する前記接続切取線、さらには前記天面長辺第一切取線、前記天面長辺第二切取線、及び前記天面切取線を一気に切り開くことが可能となる。これにより、店舗における本発明の広告機能付き包装箱の開封作業をより容易にすることが可能となる。
【００１６】
また、前記長辺側壁の前記広告表示部に連接する部分には、前記広告表示部と前記広告背面部とを固定する係止部が設けられていることにより、前記広告表示部と前記広告背面部との境界部で折り曲げて広告機能部を組み立てた際、対向する前記広告表示部と前記広告背面部を固定することが可能となる。これにより、前記広告表示部と前記広告背面部との間の折り曲げが弱くなって、前記広告表示部の下端部が前方に移動して元の天面の状態に戻ろうとする復元力を抑制することができるため、前記広告機能部を前記広告機能付き包装箱の天面上により安定して支持することが可能となり、広告機能をより十分に発揮することが可能となる。
【００１７】
また、前記天面切取線から前記広告支持部内に向かって広告差込部が設けられていることにより、前記広告機能部の底面を形成する前記前方短辺側壁を前記広告差込部に差し込むことが可能となる。これにより、前記広告支持部に対する前記広告機能部の位置を固定することが可能となるため、前記広告機能部を前記広告機能付き包装箱の天面上により安定して支持することが可能となり、広告機能をより十分に発揮することが可能となる。
【００１８】
また、前記広告表示部と前記広告背面部との境界部の一部を切込部とすることにより、前記広告機能部を組み立てた際に前記広告表示部の上端の一部を突出させることが可能となる。これにより、前記広告表示部をより注目されやすいものとすることが可能となるため、広告機能をより十分に発揮することが可能となる。
【図面の簡単な説明】
【００１９】
【図１】本発明の広告機能付き包装箱の第１の実施形態の展開図を模式的に示した説明図である。
【図２】本発明の広告機能付き包装箱の第１の実施形態を模式的に示す説明斜視図であり、（ａ）は商品を包装した開封前の状態、（ｂ）は開封して広告機能部を組み立てた状態を示す。
【図３】本発明の広告機能付き包装箱の第２の実施形態の展開図を模式的に示した説明図である。
【図４】本発明の広告機能付き包装箱の第２の実施形態を模式的に示す説明斜視図であり、（ａ）は商品を包装した開封前の状態、（ｂ）は開封して広告機能部を組み立てた状態を示す。
【図５】本発明の広告機能付き包装箱の第２の実施形態において、広告機能部を組み立てる際の広告差込部への差し込みを説明するための模式的な部分拡大説明図であり、（ａ）は差し込む前の状態、（ｂ）は差し込みが完了した状態を示す。
【発明を実施するための形態】
【００２０】
＜第１の実施形態＞
以下、本発明を実施するための第１の実施形態につき図１、２を参照して説明する。
【００２１】
本発明の広告機能付き包装箱１は、略直方体形状の箱であり、図１に示すような１枚のシートブランクを折り曲げ組み立てることにより形成される。前記シートブランクは商品を包装した状態で輸送することを考慮した強度を必要とするため、両面段ボールが好適に用いられる。なお、少なくとも広告表示部２１及び広告背面部２２は美観性も考慮した化粧面とすることが好ましい。
【００２２】
前記シートブランクは、図１に示すように広告機能付き包装箱１の天面長辺方向を前後
方向とした場合、右から左へ、天面２、長辺側壁５、下面６、長辺側壁５、接続部２８の順に折り部を介して連接されており、接続部２８を天面２の裏面に接着することにより四角筒形状の筒部を形成する。また、天面２の前後には、前方短辺２６を介して前方短辺側壁７１が、後方短辺２７を介して後方短辺側壁７２が、それぞれ連接されており、一対の前方短辺側壁７１、７１と後方短辺側壁７２、７２とはそれぞれ、広告機能付き包装箱１を組み立てた際に突き合わせとなるように構成されている。
また、一対の長辺側壁５の前後にはそれぞれ、前方内フラップ５１、後方内フラップ５２が連接されており、長辺側壁５の前後略中央から前方内フラップ５１にかけて高さ方向に上下に分割する上下一対の切取線からなる分割手段４が形成されている。
【００２３】
天面２は、前後略中央よりも前方側に広告表示部２１、後方側に広告背面部２２を有しており、広告表示部２１と広告背面部２２の間の境界部には折り曲げ線２４が形成されている。なお、当該境界部の折り曲げ線２４の一部を、図１に示すような切込部２５とすることも可能である。これにより、天面２を折り曲げ線２４で山折すると、広告表示部２１と広告背面部２２とが対向し、切込部２５が上方に突出した状態になり、広告表示部２１をより注目されやすいものとすることが可能となる。なお、切込部２５の形状、大きさ、及び数は限定されず、広告表示部２１に表示する広告内容等によって適宜設計することが可能である。
【００２４】
また、天面２の後方短辺２７から広告表示部２１とは重ならない位置の左側長辺に向かって天面切取線３１が形成されている。そして、天面切取線３１と天面２の左側長辺との交点から広告背面部２２と広告表示部２１との境界部に至るまで、天面２の長辺に沿って天面切取線３１に連接する天面長辺第一切取線３２が設けられている。さらに、天面長辺第一切取線３２と分割手段４とをつなぐ接続切取線３４が設けられている。
なお、天面２において天面長辺第一切取線３２が設けられた左側長辺とは反対側の右側長辺にも、少なくとも天面長辺第一切取線３２に対向する位置には天面長辺第二切取線３３が設けられていて、天面長辺第二切取線３３と分割手段４とをつなぐ位置にも接続切取線３４が設けられている。
【００２５】
これらの切取線３（天面切取線３１、天面長辺第一切取線３２、天面長辺第二切取線３３、及び接続切取線３４）は分割手段４からつながる一連の連続した線として形成されているため、分割手段４を切除して生じた空間に手を差し入れて天面２側に引き上げることにより、切取線３全体を一気に切り開くことが可能となる。
そして、このように構成された切取線３全体を切り開くと、天面２の左後方隅部に、後方短辺２７と天面切取線３１と左側長辺とで囲まれる領域を広告支持部２３として残すことが可能となる。
【００２６】
なお、天面２の裏面に接着される接続部２８には、図１に示すように、天面長辺第二切取線３３に連続して天面切取線３１と対称を成す斜め切取線３５を設けても良い。斜め切取線３５を設けることにより、斜め切取線３５を加えた切取線３全体を切り開いた際、広告支持部２３と対向する位置にも、広告支持部２３と同様に側壁上端に水平部材２９を形成することが可能となる。
【００２７】
次に、広告機能付き包装箱１を図１に示すシートブランクから箱形態に組み立てる工程を説明する。
【００２８】
広告機能付き包装箱１を箱形態に組み立てる際にはまず、接続部２８を天面２の裏面に接着することにより、天面２、一対の長辺側壁５、下面６からなる四角筒を形成する。そして、長辺側壁５の前後に連接されている前方内フラップ５１及び後方内フラップ５２を当該四角筒の内方に折り曲げた後、天面２及び下面６の前後に連接されている前方短辺側
壁７１及び後方短辺側壁７２を前方内フラップ５１及び後方内フラップ５２に重ねるように折り曲げる。このとき、一対の前方短辺側壁７１、７１と一対の後方短辺側壁７２、７２とはそれぞれ突き合わせになるように形成されている。そして、前方内フラップ５１及び後方内フラップ５２の表面と前方短辺側壁７１及び後方短辺側壁７２の裏面とを接着することにより、図２（ａ）に示すような略直方体形状の箱形態への組み立てが完了する。商品を包装する場合には、四角筒を形成した後、前後どちらか一方の側壁を形成した状態で商品を収納し、もう一方の側壁を形成する。
【００２９】
次に、店舗等で広告機能付き包装箱１の切取線３を切り開いて広告展示する展示形態に変形させる工程について説明する。
【００３０】
図２（ａ）に示すような箱形態への組み立てが完了した広告機能付き包装箱１を展示形態に変形させるにはまず、長辺側壁５から前方内フラップ５１にかけて形成されている分割手段４を切除する。ここで、本実施形態においては、分割手段４は、長辺側壁５の前後略中央に手指を突き刺すことが可能な切込と、当該切込の上下端から前方短辺２６及び前方内フラップ５１に向かう上下一対の切取線と、によって構成されている。そこで、分割手段４を切除するためには、長辺側壁５の前後略中央に設けられた切込に手指を突き刺して分割手段４の開始部を把持し、そのまま前方外側に引き剥がすようにして分割手段４を長辺側壁５から切除する。
また、一対の前方短辺側壁７１、７１は突き合わせになっているため、前方内フラップ５１の分割手段４が切除されると自然に上下に分割されるようになっている。
【００３１】
分割手段４を切除した後、一対の前方短辺側壁７１のうち上側の前方短辺側壁７１を把持し、上方に引き上げると、分割手段４から連なる一連の切取線３（接続切取線３４、天面長辺第一切取線３２及び天面長辺第二切取線３３、天面切取線３１及び斜め切取線３５）が切り開かれる。
【００３２】
そして、切取線３を全て切り開いた後、天面２の前後略中央に設けられた折り曲げ線２４を山折にすると、図２（ｂ）に示すように、天面２の広告表示部２１が前面、広告背面部２２が背面、上側の前方短辺側壁７１が底面を成す断面略三角形状の広告機能部２０が形成される。このとき、折り曲げ線２４の一部を切込部２５としておくと、切込部２５が上方に突出するため、広告内容をより目立たせることが可能となる。
【００３３】
本実施形態においては、長辺側壁５の広告表示部２１に連接する部分には、広告表示部２１と広告背面部２２とを固定する係止部８が設けられている。係止部８は、広告表示部２１を略垂直、上側の前方短辺側壁７１を略水平として広告機能部２０を組み立てたときの広告背面部２２の傾きと略同一の角度に設けられた折り曲げ線と、当該折り曲げ線の両端から広告表示部２１に向かって延びる一対の切取線と、当該一対の切取線の先端をつなぐ天面２と長辺側壁５との境界上の切取線と、によって構成されている。
広告機能部２０を組み立てる際は、折り曲げ線２４を山折して断面略三角形状とした後、広告背面部２２の後ろ側に係止部８が位置するように係止部８を押し込むことにより、対向する広告表示部２１と広告背面部２２を固定することが可能となる。これにより、広告表示部２１と広告背面部２２との間の折り曲げが弱くなって、広告表示部２１の下端部が前方に移動して元の天面２の状態に戻ろうとする復元力を抑制することができるため、広告機能部２０を広告機能付き包装箱１の天面２上により安定して支持することが可能となり、広告機能をより十分に発揮することが可能となる。
【００３４】
このようにして組み立てた広告機能部２０は、切取線３を切り開いた際に側壁上端に水平に形成される広告支持部２３及び水平部材２９の上に載置することが可能である。これにより、広告機能部２０を天面２上に安定して支持することが可能となる。
また、分割手段４より下の部分には商品を収納した状態のまま商品展示台とすることが可能となり、展示形態の組み立てが完了する。
【００３５】
このようにして広告機能付き包装箱１を展示形態に変形することにより、商品を収納した状態のまま、商品の上方に広告機能部２０を安定して載置することが可能となる。
【００３６】
＜第２の実施形態＞
以下、本発明を実施するための第２の実施形態につき図３〜５を参照して説明する。
【００３７】
本実施形態の広告機能付き包装箱１０は、天面切取線３１から広告支持部２３内に向かって広告差込部９が設けられている点でのみ第１の実施形態と異なる。
【００３８】
広告差込部９は、図３に示すように、天面切取線３１の略中央から広告支持部２３内の天面隅部に向かって形成された切込線であり、先端は鉤状に折れ曲がっている。当該鉤状の折れ曲がりは、広告差込部９の先端が不用意に裂けてしまい広告機能部２０を挟み持つ機能を果たさなくなることを防止するためのものであり、その形状は特に限定されない。
【００３９】
本実施形態の広告機能付き包装箱１０の箱形態への組み立ては、第１の実施形態と同様に図４（ａ）に示すように組み立てられる。
【００４０】
本実施形態の広告機能付き包装箱１０を展示形態へと変形する際も、分割手段４の切除、切取線３の切り開き、及び広告機能部２０の組み立ては第１の実施形態と同様である。
【００４１】
天面２の広告表示部２１が前面、広告背面部２２が背面、上側の前方短辺側壁７１が底面を成す断面略三角形状の広告機能部２０を組み立てた後、図５（ａ）に示すように、上側の前方短辺側壁７１を広告差込部９に差し込む。これにより、図５（ｂ）に示すように、広告機能部２０の底面に当たる上側の前方短辺側壁７１が広告支持部２３内の広告差込部９に挟持される。
なお、後方短辺側壁７２は、上下一対の後方短辺側壁７２、７２が突き合わせになっているが、図５においては省略して一枚の後方短辺側壁７２のように図示している。
【００４２】
広告機能部２０を広告差込部９に差し込むことにより、広告支持部２３に対する広告機能部２０の位置を固定することが可能となるため、広告機能部２０を広告機能付き包装箱１０の天面２上により安定して支持することが可能となり、広告機能をより十分に発揮することが可能となる。
【００４３】
なお、本実施形態においては、第１の実施形態同様に長辺側壁５に係止部８も形成されているが、広告差込部９により広告表示部２１の下端部の移動は抑制可能であるため、係止部８は形成しなくても良い。
【００４４】
このようにして広告機能付き包装箱１を展示形態に変形することにより、商品を収納した状態のまま、商品の上方に広告機能部２０を安定して載置することが可能となる。
【符号の説明】
【００４５】
１、１０・・・広告機能付き包装箱
２・・・天面
２０・・・広告機能部
２１・・・広告表示部
２２・・・広告背面部
２３・・・広告支持部
２４・・・折り曲げ線
２５・・・切込部
２６・・・前方短辺
２７・・・後方短辺
２８・・・接続部
３・・・切取線
３１・・・天面切取線
３２・・・天面長辺第一切取線
３３・・・天面長辺第二切取線
３４・・・接続切取線
３５・・・斜め切取線
４・・・分割手段
５・・・長辺側壁
５１・・・前方内フラップ
５２・・・後方内フラップ
６・・・下面
７１・・・前方短辺側壁
７２・・・後方短辺側壁
８・・・係止部
９・・・広告差込部
【図１】
2018027786.tif 000003
【図２】
2018027786.tif 000004
【図３】
2018027786.tif 000005
【図４】
2018027786.tif 000006
【図５】
2018027786.tif 000007